(57)【要約】【課題】携帯に可能な手帳形式のダイアリーであり、見開いた頁に、一年を四半期に分けた３ヶ月分の単位で予定や計画等を記載することによって、四半期分の予定や計画等を一度に俯瞰することができるようにしたダイアリーを提供する。【解決手段】複数のページを有する見開き可能な手帳型のダイアリーにおいて、予定を書き込む頁として、見開いた左右の頁を連続的に用いて、一年を四半期に分けた３ケ月分ごとの日付を連続的に表示してなる見開き頁を形成し、この見開き頁を少なくとも１年分以上設けると共に、各見開き頁の夫々の日付に沿って書き込み可能な書き込み欄が設けられたことを特徴とする。【選択図】図２
0003212841.tif 000002
【実用新案登録請求の範囲】
【請求項１】
複数のページを有する見開き可能な手帳型のダイアリーにおいて、予定を書き込む頁として、見開いた左右の頁を連続的に用いて、一年を四半期に分けた３ケ月分ごとの日付を連続的に表示してなる見開き頁を形成し、この見開き頁を少なくとも１年分以上設けると共に、各見開き頁の夫々の日付に沿って書き込み可能な書き込み欄が設けられたことを特徴とするダイアリー。
【請求項２】
夫々の見開き頁に表示された３ケ月分ごとの日付は、見開き頁の左右の頁を連続的に用いて、横方向を１週間分の各曜日に分けた日付に対応させた状態で、各見開き頁の上方から下方に向けて複数段の各曜日に対応するように連続的に表示されたことを特徴とする請求項１記載のダイアリー。
【請求項３】
Ａ４サイズの用紙を長手方向に三つ折りにした書類がはみ出ない納まり状態で挟み込むことができる大きさの折り畳み形状を有することを特徴とする請求項１又は２記載のダイアリー。
【請求項４】
Ａ４サイズの用紙を長手方向に三つ折り以外の複数回の折り方で折り畳んだ書類がはみ出ない納まり状態で挟み込むことができる大きさの折り畳み形状を有することを特徴とする請求項１又は２記載のダイアリー。
【請求項５】
Ａ４サイズ以外の所定の大きさの用紙を長手方向に三つ折り、又は複数回の折り方で折り畳んだ書類がはみ出ない納まり状態で挟み込むことができる大きさの折り畳み形状を有することを特徴とする請求項１又は２記載のダイアリー。
【考案の詳細な説明】
【技術分野】
【０００１】
本考案は、二つ折りにしてポケット等に収納することが可能な手帳型のダイアリーに関する。
【背景技術】
【０００２】
従来から、各種の分野における予定や計画等を書き込むことができ、しかもその書き込んだ記録を容易に持ち運びができるようにした文具として、書き込み可能な手帳型のダイアリーが用いられている。
【０００３】
このようなダイアリーを用いて、予定や計画等を管理する際、一年を四半期（クオター）に分けることによって１クオーターを３ヶ月分とし、夫々のクオーターごとに予定や計画等の進捗状況を管理することにより、効率的に管理を行うことが可能となる。その際、予定や計画等を書き込んだり、その進捗状況を管理したりするのに、小型の手帳のようなダイアリーがあれば、持ち運びや管理の際にも便利なものとなる。
【０００４】
そこで、上記のように一年を四半期に分けることによって３ヶ月分の単位で構成した手帳として、特許文献１の「差替型ダイアリー」を参照する。この差替型ダイアリーを構成する月間予定表及び日記帳は、１年分を２ヶ月あるいは３ケ月毎の小冊子に分割して１年分とし、それぞれの小冊子の裏表の表紙に粘着部を設けて、各小冊子を粘着による連結、剥離による切り離しにより、各小冊子を差し替えできるようにしたものである。
【０００５】
従って、この従来の差替型ダイアリーは、２ヶ月あるいは３ケ月毎の小冊子をまとめて１年分の手帳としたものであるため、見開いた頁の表示内容が３ヶ月分の四半期を構成するものではなく、見開いた頁を俯瞰することによって一度に四半期の予定や計画等を把握することが可能になるというものではなかった。
【先行技術文献】
【特許文献】
【０００６】
【特許文献１】実用新案登録第３１０４０２６号公報
【考案の概要】
【考案が解決しようとする課題】
【０００７】
本考案は、上記の事情に鑑みてなされたものであり、携帯に可能な手帳形式のダイアリーであり、見開いた頁に、一年を四半期に分けた３ヶ月分の単位で予定や計画等を記載することによって、四半期分の予定や計画等を一度に俯瞰することができるようにしたダイアリーを提供することを目的とする。
【課題を解決するための手段】
【０００８】
上記の問題を解決するために、本考案における請求項１のダイアリーは、複数のページを有する見開き可能な手帳型のダイアリーにおいて、予定を書き込む頁として、見開いた左右の頁を連続的に用いて、一年を四半期に分けた３ケ月分ごとの日付を連続的に表示してなる見開き頁を形成し、この見開き頁を少なくとも１年分以上設けると共に、各見開き頁の夫々の日付に沿って書き込み可能な書き込み欄が設けられたことを特徴とする。
【０００９】
また、本考案における請求項２のダイアリーは、請求項１において、夫々の見開き頁に表示された３ケ月分ごとの日付は、見開き頁の左右の頁を連続的に用いて、横方向を１週間分の各曜日に分けた日付に対応させた状態で、各見開き頁の上方から下方に向けて複数段の各曜日に対応するように連続的に表示されたことを特徴とする。
【００１０】
また、本考案における請求項３のダイアリーは、請求項１又は２において、Ａ４サイズの用紙を長手方向に三つ折りにした書類がはみ出ない納まり状態で挟み込むことができる大きさの折り畳み形状を有することを特徴とする。
【００１１】
また、本考案における請求項４のダイアリーは、請求項１又は２において、Ａ４サイズの用紙を長手方向に三つ折り以外の複数回の折り方で折り畳んだ書類がはみ出ない納まり状態で挟み込むことができる大きさの折り畳み形状を有することを特徴とする。
【００１２】
さらに、本考案における請求項５のダイアリーは、請求項１又は２において、Ａ４サイズ以外の所定の大きさの用紙を長手方向に三つ折り、又は複数回の折り方で折り畳んだ書類がはみ出ない納まり状態で挟み込むことができる大きさの折り畳み形状を有することを特徴とする。
【考案の効果】
【００１３】
本考案のダイアリーによれば、携帯に可能な手帳形式のダイアリーを構成することができ、見開いた頁に、一年を四半期に分けた３ヶ月分の単位で予定や計画等を記載することによって、四半期分の予定や計画等を一度に俯瞰することができるという利便性に富んだダイアリーを得ることが可能となる。
【図面の簡単な説明】
【００１４】
【図１】本考案による実施例のダイアリーであり、（ａ）はダイアリーを閉じた状態にした斜視図、(ｂ)はダイアリーを開いた状態にした斜視図である。
【図２】本考案による実施例のダイアリーにおいて、見開いた両頁に３ケ月分のカレンダーを設けた状態を示す平面図である。
【図３】本考案による実施例のダイアリーにおいて、見開いた両頁の各頁に１年分のカレンダーを表示した状態を示す平面図である。
【図４】本考案による実施例のダイアリーにおいて、見開いた両頁がメモ用のドット方眼に形成された状態を示す平面図である。
【考案を実施するための形態】
【００１５】
以下、本考案の実施例について図面を参照しながら説明する。
【実施例】
【００１６】
本実施例のダイアリー１は、図１及び図２に示すように、複数のページを有する見開き可能な手帳型のダイアリー１において、予定を書き込む頁２として、見開いた左右の頁６ａ、６ｂを連続的に用いて、一年を四半期に分けた３ヶ月分ごとの日付３を連続的に表示してなる見開き頁４を形成し、この見開き頁４を少なくとも１年分以上設けると共に、各見開き頁４の夫々の日付３に沿って書き込み可能な書き込み欄７を設けた構成としたものである。
【００１７】
このような本実施例のダイアリー１について詳細に述べると、図１(ａ)に示すように、頁を閉じた状態では、平面形状が縦長の長方形となるように形成してあり、図１(ｂ)に示すように、頁を開くと、左右の頁６ａ、６ｂが見開いた状態に展開される。
【００１８】
このダイアリー１の大きさは、図１(ｂ)に示すように、Ａ４サイズの用紙を長手方向に三つ折りにした書類１１がはみ出ない納まり状態で挟持することができる折り畳み形状とされている。その具体的な大きさとして、Ａ４サイズの用紙の短尺方向の長さは２１０ｍｍ、長尺方向の長さは２９７ｍｍであるから、Ａ４サイズの用紙を長手方向に三つ折りに折り畳んだ大きさは、長尺方向の長さＬが２１０ｍｍ、短尺方向の長さＤが９９ｍｍとなる。そこで、ダイアリー１の大きさは、上記のＡ４サイズの用紙を三つ折りに折り畳んだ大きさよりも、短尺方向及び長尺方向に数ｍｍだけ大きくした形状に形成するとよい。
【００１９】
上記の構成により、図１(ａ)に示すように、ダイアリー１の頁を閉じた状態では、Ａ４サイズの３分の１程度の長方形となって手に持ちやすく、またＡ４サイズの書類１１を三つ折りに折り畳んだ状態で頁（例えば、図１(ｂ)の左右の頁６ａ、６ｂ）の間に挟むと、書類１１が閉じた頁からはみ出ることなく、綺麗な状態で収納することが可能となる。このように、ダイアリー１の大きさを、Ａ４サイズの３分の１程度の長方形にした場合、上衣やズボンや鞄等のポケットに収納可能な大きさとなって便利である。
【００２０】
また、本考案では、ダイアリーの大きさを、Ａ４サイズの用紙を長手方向に三つ折り以外の複数回の折り方で折り畳んだ書類がはみ出ない納まり状態で挟み込むことができる大きさとすることも可能である。即ち、ダイアリーの大きさ１を、Ａ４サイズの用紙を長手方向に二つ折りにした書類を挟みこむのに適すると大きさとした場合、見開いた頁を広くすることが可能となり、Ａ４サイズの用紙を長手方向に四つ折り、又はそれ以上にした場合、ダイアリーを折り畳んだ幅がより細身となって、幅の狭い小型のポケット等にも収納することが可能となる。
【００２１】
さらに、本考案のダイアリーは、その大きさをＡ４サイズの３分の１程度の長方形よりも小型にすることも、大型にすることも可能である。即ち、ダイアリー１の大きさを、Ａ４サイズ以外の所定の大きさの用紙を長手方向に三つ折り、又は複数回の折り方で折り畳んだ書類がはみ出ない納まり状態で挟み込むことができる大きさの折り畳み形状とすることも可能である。こうすることにより、ダイアリー１の使用分野に応じて、Ａ４サイズの３分の１程度の長方形よりも小型にした場合、より携帯性の良好なダイアリーとなり、さらにＡ４サイズの３分の１程度の長方形よりも大型にした場合、見開いたページの文字を大きくしたり、予定や計画を書き込む欄を大きく形成することが可能となる。
【００２２】
また、このような形状のダイアリー１において、表紙８ａと裏表紙８ｂの間に構成した頁の各用紙６は、筆記具で書き易い平滑性の良い用紙を採用すると共に、目に優しい印象を与える、例えばクリーム色の用紙を使用することによって、筆記の際にも、目視で確認する際にも、使い勝手の良いダイアリー１を構成することが可能となる。
【００２３】
さらに、上記の用紙６を用いて、重ねた用紙６、６・・・の中央６ｃを丈夫な糸で結合する糸かがり製本とすることによって、左右の頁を１８０度の平滑状に見開いた状態にすることが可能となる。
【００２４】
また、予定を書き込む頁２として、図２に示すように、見開いた左右の頁６ａ、６ｂを連続的に用いて、一年を四半期に分けた３ヶ月分ごとの日付３を連続的に表示してなる見開き頁４を形成する。夫々の見開き頁４には、一年を四半期に分けた３ヶ月分の各月の欄５ａ、５ｂ、５ｃが上下方向に形成してあり、各欄の境界には境界線１０ａ、１０ｂが表示されている。
【００２５】
また、各月の欄５ａ、５ｂ、５ｃにおいては、見開き頁４の左右の頁６ａ、６ｂを連続的に用いて、横方向に１週間分の各曜日９を表示させると共に、見開き頁４の上方から下方に向けて複数段の各曜日９に対応する日付３を連続的に表示するようにしている。また、夫々の日付３は日付枠７ａで囲まれた書き込み欄７を形成してあり、その欄内に各日付３に対応した予定の内容を書き込むことが可能である。
【００２６】
上記の構成をより具体的に述べるために、３ヶ月分の予定を書き込む頁２の例として、４月、５月、６月分を例にあげる。図２に示すように、見開いた左右の頁６ａ、６ｂを連続的に用いて、上方から４月の欄と５月の欄と６月の欄の境界に隔月の境界線１０ａ、１０ｂを表示する。このような構成においては、左方の頁６ａの左端に月曜日として「月」の文字を表示し、順次、右方へ「火」、「水」と表示してあり、さらに右頁６ｂに移って、左方から右方へ順次「木」、「金」、「土」、「日」と表示した構成としている。
【００２７】
また、本実施例においては、見開いた左右の頁６ａ、６ｂを連続的に用いて、３ヶ月分ごとの日付３を連続的に表示するため、例えば４月分は左右の頁６ａ、６ｂにまたがって日付３が連続的に表示され、４月の最終日である日付「３０」を表示する欄１２ａの右欄１２ｂに５月１日の日付として日付「１」が表示されるというように、４月分の日付に続いて５月分の初めの日付である「１、２、３、４」が連続的に表示されている。このため、５月分の欄の日付は、４月分の欄に表示した日付に続く日付として、例えば、５日を示す日付「５」の表示から始ることになる。
【００２８】
このような構成によれば、３ヶ月分の日付３が途切れることなく連続した状態で表示されるため、一年を四半期に分けた３ヶ月分の状況を連続した日程の全体として一目で俯瞰することが可能となり、月末に続く翌月の予定もまた、続いて一度に確認することが可能となる。
【００２９】
なお、上記の予定を書き込む頁２には、上述の各曜日９や日付３等のほかに、左方の頁６ａの各月の欄５ａ、５ｂ、５ｃの左端上部には、その月を表す表示１６ａ、１６ｂ、１６ｃとして、例えば「４、５、６」の夫々の数字が表示されている。また、各月の欄５ａ、５ｂ、５ｃのうち、例えば、最上部の４月の欄５ａの左端下部には、３月全体のカレンダー１７ａが表示され、最下部の６月の欄５ｃの左端下部には、次の月である７月全体のカレンダー１７ｂが表示されることにより、使用上の利便性を図るようにしている。
【００３０】
さらに、上記の４月、５月、６月分のほかに、このような３ヶ月分を有する見開き頁４を少なくとも１年分設けることによって、一年を四半期に分けた３ヶ月分ごとの予定表が構成される。ただし、１冊のダイアリー１に収容される予定を書き込む頁２の数量は、１年分だけではなく、１年分以上としてもよい。
【００３１】
また、本実施例のダイアリー１の他の頁として、図３に示すように、見開いた左右の頁６ａ、６bに１年分のカレンダーを表示した頁１３ａ、１３ｂを設ける。さらに、図４に示すように、見開いた頁４にドット方眼１４を左右上下に等間隔で表示したメモ用の頁１５ａ、１５ｂを設けることも可能である。
【００３２】
上記の予定を書き込む頁２を含めて、このような頁の配置順位としては、最初に、図３に示す見開いた頁の各頁に１年分のカレンダーを表示した頁１３ａ、１３ｂを設け、次に図２に示すように３ヶ月分の予定を書き込む頁２を必要枚数だけ設け、続いて、図４に示すメモ用のドット方眼１４が表示された頁１５ａ、１５ｂを複数頁、設けるとよい。
【産業上の利用可能性】
【００３３】
本考案のダイアリーは、携帯に可能な手帳形式のダイアリーであり、見開いた頁に、一年を四半期に分けた３ヶ月分の単位で予定や計画等を記載することによって、四半期分の予定や計画等を一度に俯瞰することができるようにしたダイアリーとして利用可能である。
【符号の説明】
【００３４】
１  ダイアリー
２  予定を書き込む頁
３  日付
４  見開き頁（見開いた頁）
５ａ、５ｂ、５ｃ  各月の欄
６  用紙
６ａ、６ｂ  左右の頁
６ｃ  用紙の中央
７      書き込み欄
７ａ    日付枠
８ａ    表紙
８ｂ    裏表紙
９      曜日
１０ａ、１０ｂ  境界線
１１    三つ折りにした書類
１２ａ  ４月の最終日である日付「３０」を表示する欄
１２ｂ  ４月の最終日である日付「３０」を表示する欄の右欄
１３ａ、１３ｂ  １年分のカレンダーを表示した頁
１４    ドット方眼
１５ａ、１５ｂ  メモ用の頁
１６ａ、１６ｂ、１６ｃ  月を示す表示
１７ａ  ３月全体のカレンダー
１７ｂ  ７月全体のカレンダー
【図１】
0003212841.tif 000003
【図２】
0003212841.tif 000004
【図３】
0003212841.tif 000005
【図４】
0003212841.tif 000006